(57)【要約】【課題】復旧対象区間が道路を横断する場合でも速やかかつ容易に復旧作業が行える被災光ケーブル配線の復旧工事方法及び道路上の配置した災害復旧用光ケーブルを用い長時間設置しても光回線の開通が行える災害復旧用光ケーブル配線構成を提供する。【解決手段】本実施例の災害復旧用光ケーブル配線構成１００は、復旧対象中継点４、５の近傍に設置され、復旧光ケーブル配線２をコネクタ接続する接続箱６、７と、一端１０Ａ、１１Ａが一側１Ａの接続箱６の他端６Ｂ内にてコネクタ接続され、他側１Ｂに横断方向に引き回され、他端１０Ｂが接続箱７の他端７Ｂにワンタッチ接続されてもって該災害復旧用光ケーブルを道路上に配置される又は更に一側１Ａに横断方向に引き回され、他端１１Ｂが一側１Ａの接続箱７の他端７Ｂにワンタッチ接続されてもって該災害復旧用光ケーブルを道路上に配置される耐側圧災害復旧用光ケーブル配線１０、１１を備える。【選択図】図１
2012252271.tif 000002
【特許請求の範囲】
【請求項１】
所定幅の道路の一側又は他側に所定の間隔を置いて配設され、少なくとも一つの供給側からの光ケーブルが中継される中継点における少なくとも二つの復旧対象中継点間内の被災光ケーブルの災害復旧方法であって、
前記復旧対象中継点間内の被災光ケーブルを取り外す工程と、
前記被災光ケーブルを取り外した復旧対象中継点間の中継点の近傍に接続箱を閉じた状態でコネクタ接続可能な接続箱を少なくとも一つ設置する工程と、
前記被災光ケーブルが取り外された供給側からの光ケーブルの一端を少なくとも一つの前記接続箱の一端の内部でそれぞれ接続する工程と、
前記復旧対象中継点が前記道路の側方に二つ配設されている場合に、道路の一側の第一の前記被災光ケーブルの一端が接続された接続箱の他端に少なくとも一つの耐側圧製の災害復旧用光ケーブルの一端をコネクタ接続し、該接続箱の他端に接続された災害復旧用光ケーブルを道路の他側に横断方向に引き回し、該他側に引き回した災害復旧用光ケーブルの他端を道路の他側の第二の前記被災光ケーブルの一端が接続されたいずれかの接続箱の他端にコネクタ接続してもって該災害復旧用光ケーブルを道路上に配置する又は該他側に引き回した災害復旧用光ケーブルを前記道路の一側に横断方向に引き回し、該道路の一側に引き回した災害復旧用光ケーブルの他端を道路の一側の第二の前記接続箱の他端にコネクタ接続してもって該災害復旧用光ケーブルを道路上に配置する工程と、
からなることを特徴とする被災光ケーブルの災害復旧方法。
【請求項２】
所定幅の道路の一側又は他側に所定の間隔を置いて配設され、少なくとも一つの供給側からの光ケーブルが中継される中継点における少なくとも二つの復旧対象中継点間内の被災光ケーブルの災害復旧方法であって、
前記復旧対象中継点間内の被災光ケーブルを取り外す工程と、
前記被災光ケーブルを取り外した復旧対象中継点間の中継点の近傍に接続箱を閉じた状態でコネクタ接続可能な接続箱を少なくとも一つ設置する工程と、
前記被災光ケーブルが取り外された供給側からの光ケーブルの一端を少なくとも一つの前記接続箱の一端の内部でそれぞれ接続する工程と、
前記復旧対象中継点が前記道路の側方に二つ配設されている場合に、道路の一側の第一の前記被災光ケーブルの一端が接続された接続箱の他端に少なくとも一つの第一の耐側圧製の災害復旧用光ケーブルの一端をコネクタ接続し、該接続箱の他端に接続された第一の災害復旧用光ケーブルを道路の他側に横断方向に引き回し、該他側に引き回した第一の災害復旧用光ケーブルの他端を道路の側方に配置される中継用接続箱の防水コネクタ対の一側にコネクタ接続し、前記中継用接続箱の防水コネクタ対の他側に少なくとも一つの第二の耐側圧製の災害復旧用光ケーブルの一端をコネクタ接続し、第二の耐側圧製の災害復旧用光ケーブルの他端を道路の他側の第二の前記被災光ケーブルの一端が接続されたいずれかの接続箱の他端にコネクタ接続してもって該災害復旧用光ケーブルを道路上に配置する又は前記中継用接続箱に接続された第二の耐側圧製の災害復旧用光ケーブルを前記道路の一側に横断方向に引き回し、該道路の一側に引き回した第二の耐圧製の災害復旧用光ケーブルの他端を道路の一側の第二の前記接続箱の他端にコネクタ接続してもって該災害復旧用光ケーブルを道路上に配置する工程と、
からなることを特徴とする被災光ケーブルの災害復旧方法。
【請求項３】
請求項１又は２において、前記被災光ケーブルを取り外した復旧対象中継点間の中継点の近傍に設置した複数の接続箱間は光ファイバ心線を通すパイプで連結し、該パイプに連結した一方の接続箱内の光ファイバ心線は前記パイプ内を通して他の接続箱内へ配線することを特徴とする被災光ケーブルの災害復旧方法。
【請求項４】
所定幅の道路の一側又は他側に所定の間隔を置いて配設され、少なくとも一つの供給側からの光ケーブルが中継される中継点における少なくとも２つの復旧対象中継点間内の被災光ケーブルの災害復旧工事によって構成される災害復旧工事用光ケーブル構成であって、
前記復旧対象中継点間内の被災光ケーブルが取り外された復旧対象中継点間の中継点の近傍にそれぞれ設置され、接続箱の一端の内部で前記復旧対象中継点間内の被災光ケーブルが取り外された前記供給側からの光ケーブルの一端が接続され、該接続箱の他端にコネクタ接続する防水コネクタが設けられる少なくとも一つの接続箱と、
前記復旧対象中継点が前記道路の側方に二つ配設されている場合に、災害復旧用光ケーブルの一端が道路の一側の第一の前記被災光ケーブルの一端が接続された接続箱の他端の防水コネクタに接続され、道路の他側に横断方向に引き回され、災害復旧用光ケーブルの他端が道路の他側の第二の前記被災光ケーブルの一端が接続されたいずれかの接続箱の他端の防水コネクタにコネクタ接続されてもって道路上に配置される又は道路の一側に横断方向に引き回され、災害復旧用光ケーブルの他端が道路の一側の第二の前記接続箱の他端の防水コネクタにコネクタ接続されてもって道路上に配置される少なくとも一つの耐側圧製の災害復旧用光ケーブルと、
からなることを特徴とする災害復旧用光ケーブル配線構成。
【請求項５】
所定幅の道路の一側又は他側に所定の間隔を置いて配設され、少なくとも一つの供給側からの光ケーブルが中継される中継点における少なくとも２つの復旧対象中継点間内の被災光ケーブルの災害復旧工事によって構成される災害復旧工事用光ケーブル構成であって、
前記復旧対象中継点間内の被災光ケーブルが取り外された復旧対象中継点間の中継点の近傍にそれぞれ設置され、接続箱の一端の内部で前記復旧対象中継点間内の被災光ケーブルが取り外された前記供給側からの光ケーブルの一端が接続され、該接続箱の他端にコネクタ接続する防水コネクタが設けられる少なくとも一つの接続箱と、
道路の側方に配置され、第一の災害用復旧光ケーブルの一端がコネクタ接続される防水コネクタと、第二の災害用復旧光ケーブルの一端がコネクタ接続される防水コネクタとが設けられ、前記各防水コネクタはそれぞれ対となって光学的に接続される防水コネクタ対が接続箱の一端に設けられる少なくとも一つの中継用接続箱と、
前記復旧対象中継点が前記道路の側方に二つ配設されている場合に、災害復旧用光ケーブルの一端が道路の一側の第一の前記被災光ケーブルの一端が接続された接続箱の他端の防水コネクタに接続され、道路の他側に横断方向に引き回され、災害復旧用光ケーブルの他端が前記中継用接続箱の防水コネクタ対の一側に接続されてもって道路上に配置される少なくとも一つの第一の耐側圧製の災害復旧用光ケーブルと、
災害復旧用光ケーブルの一端が前記中継用接続箱の防水コネクタ対の他側に接続され、前記災害復旧用光ケーブルの他端が道路の他側の第二の前記被災光ケーブルの一端が接続されたいずれかの接続箱の他端の防水コネクタにコネクタ接続されてもって道路上に配置される又は前記中継用接続箱に接続された災害復旧用光ケーブルが道路の一側に横断方向に引き回され、該災害復旧用光ケーブルの他端が道路の一側の第二の前記接続箱の他端の防水コネクタにコネクタ接続されてもって道路上に配置される少なくとも一つの第二の耐側圧製の災害復旧用光ケーブルと、
からなることを特徴とする災害復旧用光ケーブル配線構成。
【請求項６】
請求項４又は５において、前記被災光ケーブルを取り外した復旧対象中継点間の中継点の近傍に設置した複数の接続箱間は光ファイバ心線を通すパイプで連結し、該パイプに連結した一方の接続箱内の光ファイバ心線は前記パイプ内を通して他の接続箱内へ配線することを特徴とする災害復旧用光ケーブル配線構成。
【発明の詳細な説明】
【技術分野】
【０００１】
本発明は、災害時に断線等の被災をした被災光ケーブルの災害復旧方法及び災害復旧用光ケーブル配線構成に関する。
【背景技術】
【０００２】
近年、通信の分野においては、高速・大容量伝送が可能な光ファイバの普及が要求されており、これに伴い光ファイバによる通信網を構成する光ファイバケーブル（以下、光ケーブルと略称する。）の災害等による故障の際の復旧を早急に行うことも要求されており、特に小規模の範囲の地域毎においても故障した光ケーブルを早急に復旧できる災害復旧方法が要求されている。
【０００３】
通常、光ファイバ回線の提供元である局舎等の供給側からの光ケーブルは、一般道路の側方に配置される電柱等の中継点によって中継され、各設備へと提供されるようになっている。このように中継される光ケーブルは、地震、台風、火災又は土砂崩れ等の災害による断線等により故障が発生することがある。
【０００４】
この故障した光ケーブル（以下、被災光ケーブルと称する。）を早急に復旧するためには、大規模通信会社から中小規模通信会社の順に復旧する等の優先順位に依らないこと、災害復旧用の光ケーブルを路上に放置したままでも回線開通できること、そして復旧する新しい光ケーブル配線に用いる配線部品が小型・軽量で運搬や設置が容易であること等が要求される。
【０００５】
更に災害復旧に用いる新しい光ケーブルや配線部品の備蓄に多くの投資を必要としない災害復旧方法が求められている。
【０００６】
上記のような被災光ケーブルの復旧方法として、例えば、既設の光ケーブルに取付け可能なクロージャー本体と、このクロージャー本体内に配設され両端部が開放された未接続の光ファイバ芯線と、上記クロージャー本体内に配設され上記未接続の光ファイバ芯線を収納する芯線収納トレイとを備える光ケーブル復旧作業用クロージャーを用いることが提案されている（特許文献１参照）。
【０００７】
この光ケーブル復旧作業用クロージャーによれば、クロージャー本体を障害が発生した光ケーブルに取付け、この光ケーブルにおける復旧対象の光ファイバ芯線同士を未接続の光ファイバ芯線を介して接続することで、広範囲にわたる復旧作業が必要なくなり、被災光ケーブルの復旧作業を迅速に行うことができる。
【先行技術文献】
【特許文献】
【０００８】
【特許文献１】特開２００９−１０３８２０号公報
【発明の概要】
【発明が解決しようとする課題】
【０００９】
しかしながら、特許文献１記載の方法は、復旧作業用クロージャーのクロージャー本体内で被災光ケーブルの復旧作業をするものであるので、例えば被災光ケーブルの復旧作業を要する復旧対象区間が一般道路の幅を超えるような長距離である場合には一度に対応できず、復旧作業時間を多く要するために速やかに復旧作業を行えない問題がある。
【００１０】
本発明の目的は、被災光ケーブルの復旧作業を要する復旧対象区間が一般道路の幅を超える場合であっても速やかかつ容易に被災光ケーブルの復旧作業が行える被災光ケーブルの災害復旧方法を提供することにある。
【００１１】
本発明の目的は、また、被災光ケーブルの復旧作業を要する復旧対象区間が一般道路の幅を超える場合に道路上に光ファイバ配線を長時間設置しても光回線の開通を行うことができる災害復旧用光ケーブル配線構成を提供することにある。
【００１２】
本発明の目的は、更に、災害によって被災光ケーブルの多くの種類に対応でき、芯数毎や種類毎に光ケーブルや配線物品の備蓄を要さず多くの投資を必要としない経済的な被災光ケーブルの災害復旧方法及び災害復旧用光ケーブル配線構成を提供することにある。
【課題を解決するための手段】
【００１３】
本発明の被災光ケーブルの災害復旧方法は、所定幅の道路の一側又は他側に所定の間隔を置いて配設され、少なくとも一つの供給側からの光ケーブルが中継される中継点における少なくとも二つの復旧対象中継点間内の被災光ケーブルの災害復旧方法であって、前記復旧対象中継点間内の被災光ケーブルを取り外す工程と、前記被災光ケーブルを取り外した復旧対象中継点間の中継点の近傍に接続箱を閉じた状態でコネクタ接続可能な接続箱を少なくとも一つ設置する工程と、前記被災光ケーブルが取り外された供給側からの光ケーブルの一端を少なくとも一つの前記接続箱の一端の内部でそれぞれ接続する工程と、前記復旧対象中継点が前記道路の側方に二つ配設されている場合に、道路の一側の第一の前記被災光ケーブルの一端が接続された接続箱の他端に少なくとも一つの耐側圧製の災害復旧用光ケーブルの一端をコネクタ接続し、該接続箱の他端に接続された災害復旧用光ケーブルを道路の他側に横断方向に引き回し、該他側に引き回した災害復旧用光ケーブルの他端を道路の他側の第二の前記被災光ケーブルの一端が接続されたいずれかの接続箱の他端にコネクタ接続してもって該災害復旧用光ケーブルを道路上に配置する又は該他側に引き回した災害復旧用光ケーブルを前記道路の一側に横断方向に引き回し、該道路の一側に引き回した災害復旧用光ケーブルの他端を道路の一側の第二の前記接続箱の他端にコネクタ接続してもって該災害復旧用光ケーブルを道路上に配置する工程とからなることを特徴としている。
【００１４】
本発明の被災光ケーブルの災害復旧方法は、また、所定幅の道路の一側又は他側に所定の間隔を置いて配設され、少なくとも一つの供給側からの光ケーブルが中継される中継点における少なくとも二つの復旧対象中継点間内の被災光ケーブルの災害復旧方法であって、前記復旧対象中継点間内の被災光ケーブルを取り外す工程と、前記被災光ケーブルを取り外した復旧対象中継点間の中継点の近傍に接続箱を閉じた状態でコネクタ接続可能な接続箱を少なくとも一つ設置する工程と、前記被災光ケーブルが取り外された供給側からの光ケーブルの一端を少なくとも一つの前記接続箱の一端の内部でそれぞれ接続する工程と、前記復旧対象中継点が前記道路の側方に二つ配設されている場合に、道路の一側の第一の前記被災光ケーブルの一端が接続された接続箱の他端に少なくとも一つの第一の耐側圧製の災害復旧用光ケーブルの一端をコネクタ接続し、該接続箱の他端に接続された第一の災害復旧用光ケーブルを道路の他側に横断方向に引き回し、該他側に引き回した第一の災害復旧用光ケーブルの他端を道路の側方に配置される中継用接続箱の防水コネクタ対の一側にコネクタ接続し、前記中継用接続箱の防水コネクタ対の他側に少なくとも一つの第二の耐側圧製の災害復旧用光ケーブルの一端をコネクタ接続し、第二の耐側圧製の災害復旧用光ケーブルの他端を道路の他側の第二の前記被災光ケーブルの一端が接続されたいずれかの接続箱の他端にコネクタ接続してもって該災害復旧用光ケーブルを道路上に配置する又は前記中継用接続箱に接続された第二の耐側圧製の災害復旧用光ケーブルを前記道路の一側に横断方向に引き回し、該道路の一側に引き回した第二の耐圧製の災害復旧用光ケーブルの他端を道路の一側の第二の前記接続箱の他端にコネクタ接続してもって該災害復旧用光ケーブルを道路上に配置する工程とからなることを特徴としている。
【００１５】
本発明の被災光ケーブルの災害復旧方法は、また、前記被災光ケーブルを取り外した復旧対象中継点間の中継点の近傍に設置した複数の接続箱間は光ファイバ心線を通すパイプで連結し、該パイプに連結した一方の接続箱内の光ファイバ心線は前記パイプ内を通して他の接続箱内へ配線することを特徴としている。
【００１６】
本発明の災害復旧用光ケーブル配線構成は、所定幅の道路の一側又は他側に所定の間隔を置いて配設され、少なくとも一つの供給側からの光ケーブルが中継される中継点における少なくとも２つの復旧対象中継点間内の被災光ケーブルの災害復旧工事によって構成される災害復旧工事用光ケーブル構成であって、前記復旧対象中継点間内の被災光ケーブルが取り外された復旧対象中継点間の中継点の近傍にそれぞれ設置され、接続箱の一端の内部で前記復旧対象中継点間内の被災光ケーブルが取り外された前記供給側からの光ケーブルの一端が接続され、該接続箱の他端にコネクタ接続する防水コネクタが設けられる少なくとも一つの接続箱と、前記復旧対象中継点が前記道路の側方に二つ配設されている場合に、災害復旧用光ケーブルの一端が道路の一側の第一の前記被災光ケーブルの一端が接続された接続箱の他端の防水コネクタに接続され、道路の他側に横断方向に引き回され、災害復旧用光ケーブルの他端が道路の他側の第二の前記被災光ケーブルの一端が接続されたいずれかの接続箱の他端の防水コネクタにコネクタ接続されてもって道路上に配置される又は道路の一側に横断方向に引き回され、災害復旧用光ケーブルの他端が道路の一側の第二の前記接続箱の他端の防水コネクタにコネクタ接続されてもって道路上に配置される少なくとも一つの耐側圧製の災害復旧用光ケーブルとからなることを特徴としている。
【００１７】
本発明の災害復旧用光ケーブル配線構成は、また、所定幅の道路の一側又は他側に所定の間隔を置いて配設され、少なくとも一つの供給側からの光ケーブルが中継される中継点における少なくとも２つの復旧対象中継点間内の被災光ケーブルの災害復旧工事によって構成される災害復旧工事用光ケーブル構成であって、前記復旧対象中継点間内の被災光ケーブルが取り外された復旧対象中継点間の中継点の近傍にそれぞれ設置され、接続箱の一端の内部で前記復旧対象中継点間内の被災光ケーブルが取り外された前記供給側からの光ケーブルの一端が接続され、該接続箱の他端にコネクタ接続する防水コネクタが設けられる少なくとも一つの接続箱と、道路の側方に配置され、第一の災害用復旧光ケーブルの一端がコネクタ接続される防水コネクタと、第二の災害用復旧光ケーブルの一端がコネクタ接続される防水コネクタとが設けられ、前記各防水コネクタはそれぞれ対となって光学的に接続される防水コネクタ対が接続箱の一端に設けられる少なくとも一つの中継用接続箱と、前記復旧対象中継点が前記道路の側方に二つ配設されている場合に、災害復旧用光ケーブルの一端が道路の一側の第一の前記被災光ケーブルの一端が接続された接続箱の他端の防水コネクタに接続され、道路の他側に横断方向に引き回され、災害復旧用光ケーブルの他端が前記中継用接続箱の防水コネクタ対の一側に接続されてもって道路上に配置される少なくとも一つの第一の耐側圧製の災害復旧用光ケーブルと、災害復旧用光ケーブルの一端が前記中継用接続箱の防水コネクタ対の他側に接続され、前記災害復旧用光ケーブルの他端が道路の他側の第二の前記被災光ケーブルの一端が接続されたいずれかの接続箱の他端の防水コネクタにコネクタ接続されてもって道路上に配置される又は前記中継用接続箱に接続された災害復旧用光ケーブルが道路の一側に横断方向に引き回され、該災害復旧用光ケーブルの他端が道路の一側の第二の前記接続箱の他端の防水コネクタにコネクタ接続されてもって道路上に配置される少なくとも一つの第二の耐側圧製の災害復旧用光ケーブルとからなることを特徴としている。
【００１８】
本発明の災害復旧用光ケーブル配線構成は、また、前記被災光ケーブルを取り外した復旧対象中継点間の中継点の近傍に設置した複数の接続箱間は光ファイバ心線を通すパイプで連結し、該パイプに連結した一方の接続箱内の光ファイバ心線は前記パイプ内を通して他の接続箱内へ配線することを特徴としている。
【発明の効果】
【００１９】
本発明の被災光ケーブルの復旧工事方法は、上述の工程からなるので、ワンタッチ接続箱及び耐側圧の災害復旧用光ケーブルを用いて道路を横断しての被災光ケーブルの復旧を速やかに行うことにより、被災光ケーブルの復旧作業を要する復旧対象区間が一般道路の幅を超える場合であっても速やかかつ容易に被災光ケーブルの復旧作業が行えて、しかも道路を横断して災害復旧用光ケーブルを配置することができる被災光ケーブルの災害復旧方法を提供することができる。
【００２０】
耐側圧の災害復旧用光ケーブルを用いて道路を横断して光ケーブルの配線を行うことにより、被災光ケーブルの復旧作業を要する復旧対象区間が一般道路の幅を超える場合に道路上に光ファイバ配線を長時間設置して災害復旧用光ケーブルによる光ファイバ通信を行うことができる災害復旧用光ケーブル配線構成を提供することができる。
【００２１】
本発明の被災光ケーブルの災害復旧方法及び災害復旧用光ケーブル配線構成は、上述のように構成したので、接続箱が複数のコネクタを有してこの接続箱内に種々の芯線の光ファイバを配線することができて、災害によって被災した光ケーブルの多くの種類に対応でき、芯数毎や種類毎に光ケーブルや配線物品の備蓄を要さず多くの投資を必要としない経済的な被災光ケーブルの災害復旧方法及び災害復旧用光ケーブル配線構成を提供することができる。
【図面の簡単な説明】
【００２２】
【図１】本発明の実施例である災害復旧用光ケーブル配線構成を示す概略図である。
【図２】図１の災害復旧用光ケーブル配線構成で用いる接続箱の構成を説明する概略図である。
【図３】図１の災害復旧用光ケーブル配線構成で用いる接続箱の別の構成の例を説明する概略図である。
【図４】図１の災害復旧用光ケーブル配線構成で用いる耐側圧製の災害復旧用光ケーブル配線の構成を説明する概略図である。
【図５】図１の災害復旧用光ケーブル配線構成の別の適用例で用いる中継用接続箱の構成を説明する概略図である。
【図６】本発明の実施例である被災光ケーブル配線の復旧方法について、各工程をブロック図で示して説明する図である。
【発明を実施するための形態】
【００２３】
以下、本発明の実施例を図面に基づいて説明する。
【実施例】
【００２４】
本実施例の災害復旧用光ケーブル配線構成について、以下図１を用いて説明する。図１は、本発明の実施例である災害復旧用光ケーブル配線構成１００を示す概略図である。本実施例の災害復旧用光ケーブル配線構成１００は、所定幅Ｂの道路１の一側１Ａ又は他側１Ｂに所定の間隔Ｄを置いて配設され、少なくとも一つの供給側からの光ケーブル２が中継される中継点３において、少なくとも２つの復旧対象中継点４、５間内の被災光ケーブル（図示せず）の復旧工事によって構成される。
【００２５】
本実施例の災害復旧用光ケーブル配線構成１００は、また、接続箱６、７又は１６を備えている。この接続箱６、７、１６は上記復旧対象中継点４、５間内の図示しない被災光ケーブルが取り外された復旧対象中継点間内の中継点４、５又は４０の近傍にそれぞれ設置される。
【００２６】
また、これら接続箱６、７、１６の一端６Ａ、７Ａ、１６Ａに、少なくとも一つの上記図示しない被災光ケーブルが取り外された上記供給側からの光ケーブル２を接続箱の内部で接続する。また、接続箱６、７、１６の他端６Ｂ、７Ｂ、１６Ｂに、後述する災害復旧用光ケーブルをそれぞれコネクタ接続する防水コネクタ２１が複数個設けられる。
【００２７】
本実施例の災害復旧用光ケーブル配線構成１００は、また、上記復旧対象中継点４、５が道路１の側方１Ａ、１Ｂに２つ配設されている場合に、災害復旧用光ケーブルの一端１０Ａ、１１Ａ又は１４Ａが道路の一側１Ａの上記第一の光ケーブル２の一端８が接続された接続箱６の他端６Ｂにコネクタ接続され、道路の他側１Ｂに横断方向に引き回され、災害復旧用光ケーブルの他端１０Ｂ、１１Ｂ又は１４Ｂが道路の他側１Ｂの第二の上記光ケーブル２の一端９が接続された接続箱７又は１６の他端７Ｂ、１６Ｂにコネクタ接続される又は道路の一側１Ａに横断方向に引き回され、他端１０Ａ、１１Ｂが道路の一側１Ａの第二の接続箱７の他端７Ｂにコネクタ接続される少なくとも一つの耐側圧の災害復旧用光ケーブル１０又は１１とを備える。
【００２８】
以下、上記光ケーブルが取り外された供給側からの光ケーブル２を復旧光ケーブル２と略称する。
【００２９】
なお、上記の第二の道路の一側１Ａに横断方向に引き回された災害復旧用光ケーブル１１の一端１１Ｂがワンタッチ接続された第二の接続箱７のもう一端７Ｂには、図示しない供給用光ファイバケーブルの一端が接続されて、一般家庭や設備等の供給先３０へと光ファイバ回線が供給されるようになっている。
【００３０】
また、被災光ケーブルの復旧作業の際は、通常、復旧対象中継点４、５間に道路１の横断方向に倒壊した電柱等の中継点４０があり、復旧対象中継点４、５間の道路上はこの倒壊した中継点４０によって妨げられている。なお、上記の中継点４０の倒壊時には、この中継点４０に中継されていた光ケーブルは断線する等の故障が生じてしまうことがある。
【００３１】
この中継点４０が倒壊した際、従来の被災光ケーブルの復旧作業方法又は災害復旧用光ケーブル配線構成は、中継点４０の撤去時までは復旧対象中継点４、５間の被災光ケーブルの復旧ができないでいた。
【００３２】
本実施例の災害復旧用光ケーブル配線構成及び被災光ケーブル災害復旧方法は、上記の対策として適用できるものであって、以下災害復旧用光ケーブル配線構成１００について詳述する。
【００３３】
道路１は、一般道路であり、道路１の幅Ｂは道路の敷設条件により所定の値となるので道路幅Ｂは予め把握可能である。従って、後述するように、復旧対象中継点４、５間内の道路を横断する交換用の耐側圧製の災害復旧用光ケーブルの長さは、予め一定の値に設定しておき、備蓄する光ケーブルの種類を少なくすることができる。
【００３４】
予め設定した芯線数を超える場合、即ち一つの接続箱内に収容できない芯線数の被災光ケーブルがあった場合、後述するように複数の接続箱を使用してそれぞれを直列につないで２本の光ケーブルを連結させることで、被災光ケーブルの芯線数に基づいて必要となる複数種類の接続箱を備蓄することも無く、多様な復旧対象の光ケーブルの設置状況にも速やかに対応することができる。
【００３５】
供給側から提供される少なくとも一つの光ケーブル２には、図示しない光ファイバ回線が内包されている。この光ファイバ回線は、石英ガラス又はプラスチック等の光に対して透過率が高い材料からなるコアとクラッドからなる光ファイバとから構成される。
【００３６】
また、この光ケーブル２は、この光ファイバの表面を覆うシリコーン樹脂からなる被覆材及びこの被覆材を覆うナイロン繊維からなる被覆材と、これら被覆材に保護用のシースと呼ばれる被覆材を被覆して構成される。
【００３７】
上記のような被覆材は、外部からの強い圧力には耐え得る構造ではないが、道路を横断して配置する本実施例で用いる耐側圧災害復旧用光ケーブルの被覆は、後述するように、外部からの圧力に対して強い耐側圧の素材を用いており、これにより被覆される光ファイバ回線を外部からの圧力から充分に保護するように構成されている。
【００３８】
光ファイバ回線の供給側２０である局舎は、光ファイバを提供する地域ごとに所定の数設けられており、各々が光ケーブルを用いて中継点３を介して各設備や家庭に光ファイバ回線を供給するようになっている。
【００３９】
中継点３は、例えば電力を供給する電柱が該当し、この電柱に光ケーブルが地面から所定の高さを置いて取り付けられて隣接する電柱へと中継される。このようにして、光ケーブルは各電柱によって添架される。ここで、各電柱間の距離Ｄは、所定の間隔を置かれるようになっており、通常は約３０メートルとされる。
【００４０】
本実施例の災害復旧用光ケーブル配線構成１００は、また、上記復旧対象中継点４、５間の復旧光ケーブル２の一端８と、後述する耐側圧製の災害復旧用光ケーブルの一端９とを接続可能な接続箱６、７が、復旧対象中継点４、５の近傍にそれぞれ設置される。これら接続箱６、７は同様の構成であり、この構成について以下接続箱６を例にとって詳述する。
【００４１】
図２は、図１の本実施例の災害復旧用光ケーブル配線構成１００で用いる接続箱６の構成を説明する概略図である。この接続箱６は、端部６Ｂに設けられる防水コネクタ２１と、内部に設けられる中間接続用の光ファイバ芯線２２と、この光ファイバ芯線２２を複数本収納可能な芯線収納トレイ２３とからなる。
【００４２】
また、この接続箱６は、プラスチック等の合成樹脂製の上箱２５と下箱２６の２つに分かれて形成されており、これらの上箱２５と下箱２６との間でヒンジ等の連結部材を介して開閉可能に連結されている。
【００４３】
本実施例においては、上記の復旧光ケーブル２は、接続箱６の上箱２５を開き、復旧光ケーブル２の被覆２Ａを剥いで露出された光ファイバ芯線２Ｂと、内部の中間接続用の光ファイバ芯線２２の一端２２Ａとを融着することによって光学的に接続される。
【００４４】
また、中間接続用の光ファイバ芯線２２の一端２２Ｂは、防水コネクタ２１に接続されている。これにより、中間接続用の光ファイバ芯線２２と後述する災害復旧用光ケーブル１０は、この防水コネクタ２１を介して光学的に接続される。
【００４５】
防水コネクタ２１は、後述の耐側圧災害復旧用光ケーブルをコネクタで接続又は取り外し可能になっており、これにより接続箱６への災害復旧用光ケーブルの接続を容易にすることができる。
【００４６】
また、この防水コネクタ２１は、接続箱６の端部６Ａに複数個設けられており、複数本の上記災害復旧用光ケーブル１０を接続することができるため、必要な芯数分の災害復旧用の光ケーブルをフレキシブルに接続することが可能であり、一種類の接続箱で多様な芯数に対応できる。
【００４７】
本実施例においては、この接続箱６の一端６Ａの防水コネクタ２１に上記の復旧光ケーブル２の一端８を内部で接続し、接続箱６の他端６Ｂのワンタッチコネクタ２１に後述する災害復旧用光ケーブル１０の一端１０Ａを接続する。
【００４８】
また、この防水コネクタ２１により、接続箱６を開けることなく閉じた状態で上記災害復旧用光ケーブル１０をそれぞれ接続することができる。また、この防水コネクタ２１は、その先端に防水部品２４が設けられており、防水コネクタ２１と接続した災害復旧用光ケーブル１０との間に水分が浸入することを防ぐことができる。
【００４９】
また、接続箱６の内部の芯線収納トレイ２３は、板状であり、内部に複数本の中間接続用の光ファイバ２２を収納できる所定の板厚が形成されている。また、この芯線収納トレイ２３は上下に複数個積層されている。
【００５０】
これら芯線収納トレイ２３の内部に収納される中間接続用の光ファイバ２２は、巻回されて収納されており、芯線収納トレイ２３の板厚に応じて複数回巻回されて収納される。これにより、芯線収納トレイ２３は小型化可能とされている。
【００５１】
上記の構成により、接続箱６は小型且つ軽量であり、携帯性に優れているので、災害時等に発生する被災光ケーブルの復旧作業に速やかに携帯して用いることができて被災光ケーブルの復旧作業で用いるのに適している。
【００５２】
また、接続箱６は、一の外面に光ケーブルに添架可能な図示しない添架部材を取り付けることが可能になっている。これにより、例えば図１に記載される一部の電柱等の中継点３に中継される光ケーブル２に、添架部材を介して接続箱６を添架することによって、この中継点３を起点として適宜被災光ケーブルの復旧作業が行えるようになっている。
【００５３】
図３は、図１の災害復旧用光ケーブル配線構成で用いる接続箱の別の構成の例を説明する概略図である。接続箱６は、図３に示す如く光ケーブル内の光ファイバの本数が多くても対応可能である。例えば光ケーブル内の光ファイバの本数が９６本（９６芯）のものでも接続可能であり、復旧作業に用いることができる。
【００５４】
この場合は例えば、復旧対象中継点４、５近傍に設置した接続箱にそれぞれ一つずつ接続箱２７、２８を増設して設置し、これら接続箱６、２７間又は接続箱７、２８間を内部に光ファイバ心線を通すパイプ２９でそれぞれ連結し、パイプ２９に連結した一方の接続箱６又は７内の光ファイバ心線は前記パイプ内を通して他の接続箱２７又は２８内へ配線する。
【００５５】
この際、増設した接続箱２７、２８同士は、接続箱６、７と同様に防水コネクタ２１を有するので、接続箱２７と２８は被災復旧用光ケーブル１５にて光学的に接続可能である。
【００５６】
本実施例の災害復旧用配線構成によれば、接続箱６、７に接続箱２７、２８を増設することで、例えば被災光ケーブルが９６芯以上の芯数が多い構成であっても、増設した接続箱に光ファイバを備蓄させておくことで、速やかに復旧作業に対応可能となる。
【００５７】
また、上記接続箱６、７、２７、２８は、それぞれ上記防水コネクタ２１を複数個備えていたり、パイプを介して複数の接続箱を直列接続できたりするので、さらに多くの芯数構成の被災光ケーブルにも対応でき、復旧現場にて接続箱毎に作業員による作業分担をすることができるので、より速やかに復旧作業を行うことができる。
【００５８】
本実施例の災害復旧用光ケーブル配線構成１００は、また、復旧対象中継点４、５が道路１の側方１Ａ、１Ｂに２つ配設されている場合に、道路の一側１Ａの上記の第一の復旧光ケーブル２の一端８が接続された接続箱６の他端６Ｂに災害復旧用光ケーブル１０、１１又は１４がコネクタ接続される。これら災害復旧用光ケーブル１０、１１、１４は同様の構成であり、この構成について災害復旧用光ケーブル１０を例にとって以下詳述する。
【００５９】
図４は、図１の本実施例の災害復旧用光ケーブル配線構成１００で用いる災害復旧用光ケーブル１０の構成を説明する概略図である。この災害復旧用光ケーブル１０は、コア及びクラッドからなる光ファイバ素線３１を被覆材３２、３３で被覆した光ファイバ芯線３４の両端に抗張力部材３５がそれぞれ配置され、これら光ファイバ芯線３４と抗張力部材とを外皮材３１によって被覆されて構成されている。
【００６０】
この抗張力部材３５としては、鋼線等の抗張力材料が用いられる。この抗張力部材３５を光ファイバ芯線３４の両端に配置することにより、抗張力部材３５が外部側方からの側圧から光ファイバ芯線３４を保護するようになっている。
【００６１】
災害復旧用光ケーブル１０は、また、両端１０Ａ、１０Ｂには図示しない防水型ワンタッチコネクタを備えており、上記の接続箱６の他端６Ｂへと防水コネクタ２１を介して容易にコネクタ接続することができる。また、接続した災害復旧用光ケーブル１０と接続箱６の他端６Ｂ間に水分が浸入することを防止することができる。
【００６２】
以上の構成である災害復旧用光ケーブル１０は、軽量であって携帯性に優れているので、災害時等に発生する被災光ケーブルの復旧作業に速やかに携帯して用いることができて被災光ケーブルの復旧作業で用いるのに適している。
【００６３】
上記の接続箱６に接続された災害復旧用光ケーブル１０は、道路１の他側１Ｂに横断方向に引き回され、災害復旧用光ケーブル１０の他端１０Ｂが道路の他側１Ｂの第二の上記光ケーブル２の一端９が接続された接続箱７又は１６の他端７Ｂ又は１６Ｂに上述した接続箱６と同様にワンタッチ接続されるようになっている。
【００６４】
本実施例の災害復旧用光ケーブル配線構成１００は、又は、上記の接続箱６に接続された災害復旧用光ケーブル１１は、道路１の他側１Ｂに横断方向に引き回され、更に道路の一側１Ａに横断方向に引き回され、災害復旧用光ケーブル１１の他端１１Ｂが道路の一側１Ａの第二の接続箱７の他端７Ｂに上述した接続箱６と同様にワンタッチ接続される。この場合は、接続箱７の一端７Ａは、一般家庭や設備等の供給先３０へと光ファイバ回線を供給する光ファイバ回線が接続されるようになっている。
【００６５】
従って、本実施例の災害復旧用光ケーブル配線構成１００で用いられる災害復旧用光ケーブル１０、１１、１４は、それぞれ道路１上を横断方向に横断して配置されることになる。
【００６６】
ここで、道路１の横断方向とは、道路の交差点の横断歩道の横断方向を指し、道路１の幅Ｂ方向（即ち、道路の進行方向に対して９０度）又は交差点の対角線上にある斜め方向（即ち、道路の進行方向に対して４５度）を指すが、必ずしも道路１の進行方向に対して９０度又は４５度の角度をなす必要はなく、本実施例の災害復旧用光ケーブル１０を引き回す横断方向は、復旧作業対象の中継点の設置状況によって、適宜道路１の進行方向に対して９０度又は４５度以外の角度を適宜選択できる。
【００６７】
また、上記の道路１の他側１Ｂに引き回した災害復旧用光ケーブル１０は、図１に示すように、道路１の側方１Ｂに沿って配置することで、道路１上を走行する車両による押圧を避けられる範囲で災害復旧用光ケーブル１０の長さを短くできるが、道路１の側方１Ｂに沿らせずに配置しても良い。
【００６８】
本実施例の災害復旧用光ケーブル配線構成１００は、また、上述の災害復旧用光ケーブル１０、１１の一端１０Ａ、１１Ａを２つとも接続箱６に接続し、災害復旧用光ケーブル１０、１１の他端１０Ｂ、１１Ｂをそれぞれ接続箱７に接続して構成しても良い。
【００６９】
また、災害復旧用光ケーブル１０の一端１０Ａを接続箱６に接続し、災害復旧用光ケーブル１０の他端１０Ｂを接続箱１６に、あるいは災害復旧用光ケーブル１４の一端１４Ａを接続箱６に接続し、災害復旧用光ケーブル１４の他端１４Ｂを接続箱７に接続してもよく、ケーブル配線の組み合わせは多様に対応できる。
【００７０】
この構成によれば、復旧対象中継点４、５間の光ケーブル配線の復旧と一般設備への供給側への光ケーブル配線の復旧の両方が、いずれも道路１上を災害復旧用光ケーブル１０、１１又は１４が横断した状態で可能となる。
【００７１】
図５は、図１の災害復旧用光ケーブル配線構成の別の適用例で用いる中継用接続箱の構成を説明する概略図である。本実施例の災害復旧用光ケーブル配線構成１００は、又は、設置された接続箱６、７間即ち復旧対象中継点間４、５は、災害復旧用光ケーブルを分けて中継用接続箱１９を介して接続するようにしても良い。以上の光ケーブル配線構成について以下詳述する。
【００７２】
第一の災害復旧用光ケーブル１７の一端１７Ａは、道路の一側の被災光ケーブル２の一端８が接続されている接続箱６の他端６Ａの防水コネクタ２１にコネクタ接続される。また、第二の災害復旧用光ケーブル１８の一端１８Ａは、道路の他側の被災光ケーブル２の一端８が接続されている接続箱７の他端７Ａの防水コネクタ２１にコネクタ接続される。そして、これら災害復旧用光ケーブル１７、１８の他端１７Ｂ、１８Ｂは中継用接続箱１９の防水コネクタ対の一側１９又Ａは他側１９Ｂにそれぞれ接続され、これにより災害復旧用光ケーブル１７、１８が光学的に接続されて災害復旧用光ケーブル１７、１８間の光通信が中継される。
【００７３】
この防水コネクタ対１９Ａ、１９Ｂは、中継用接続箱１９の一端に複数対（例えば、八条ある防水コネクタのうち二条を一対として四対）設けられており、これら防水コネクタ対１９Ａ、１９Ｂは中継用接続箱１９の内部で端部が図示しない両端コネクタを有する芯線の接続によってそれぞれが光学的に接続される構成となっている。
【００７４】
なお、中継用接続箱１９は、接続箱６、７と同じものであり、接続箱６、７と同じものを内部の防水コネクタ部の配線構成を現地で変更することで使用することができるため、備蓄する光ケーブルの長さを一定長にできたり、複数種類の接続箱を備蓄する必要が無く、経済性に優れた速やかな復旧対応が可能である。
【００７５】
ここで、各災害復旧用光ケーブル１７、１８は上述の災害復旧用光ケーブル１０、１１と同様の構成であり、耐側圧に構成されている。
【００７６】
以上のように構成することで、災害復旧区間が例えば１００ｍ以上のように長い区間である場合でも、中継用接続箱１９を区間内に介在させることによって、災害復旧用光ケーブルを延長して接続することができるので、災害時の復旧対象区間内の長さにかかわらず、災害復旧用光ケーブルを複数本組み合わせることによって容易に災害復旧用光ケーブルを配線することができる。
【００７７】
また、家庭供給側３０に災害復旧用光ケーブル１１を引き回す場合に、災害復旧用光ケーブル１１を複数に分けてこの光ケーブル間を上記の中継用接続箱１９を介して接続することもできる。
【００７８】
また、上述の接続箱６又は７の各防水コネクタ２１のうち二つを一対として相互を光学的に接続して、中継用接続箱１９として用いても良い。この際、例えば接続箱６又は７の防水コネクタが八条ある場合は、四対の防水コネクタ対が構成される。
【００７９】
このようにすることで同様の構成の接続箱を接続箱６、７や中継用接続箱１９として用いることができるので、災害復旧対象区間内の災害復旧光ケーブルの配線を経済的かつ速やかに行うことができる。
本実施例の災害復旧用光ケーブル配線構成は、上述の構成であるので、耐側圧の災害復旧用光ケーブルを用いて道路を横断して光ケーブルの配線を行うことにより、被災光ケーブルの復旧作業を要する復旧対象区間が一般道路の幅を超える場合に道路上に光ファイバ配線を長時間設置して災害復旧用光ケーブルによる光ファイバ通信を行うことができる災害復旧用光ケーブル配線構成を提供することができる。
【００８０】
次に、本実施例の被災光ケーブルの災害復旧方法について、図６を用いて説明する。図６は、本発明の実施例である被災光ケーブルの災害復旧方法について、各工程をブロック図で示して説明する図である。
【００８１】
また、本実施例の被災光ケーブルの災害復旧方法では、上述の図１を用いて説明した災害復旧用光ケーブル配線構成の実施例を用いて説明するが、例えば図４の接続箱の構成や図５に示す中継用接続箱を用いた場合でも同様であり、後述する実施例の効果と同様の効果を奏することができる。
【００８２】
本実施例の被災光ケーブルの災害復旧方法は、所定幅Ｂの道路の一側１Ａ又は他側１Ｂに所定の間隔Ｄを置いて配設され、少なくとも一つの供給側からの光ケーブル２が中継される中継点３における少なくとも二つの復旧対象中継点４、５間内の光ケーブルの災害復旧方法である。
【００８３】
本実施例の被災光ケーブルの災害復旧方法は、また、上記復旧対象中継点４、５間内の図示しない光ケーブルを取り外す工程Ｓ１と、上記光ケーブルを取り外した復旧対象中継点４、５の近傍にそれぞれコネクタ接続可能な接続箱６、７を設置する工程Ｓ２と、上記光ケーブルが取り外された供給側からの光ケーブル２の一端８、９を少なくとも一つの上記接続箱６又は７の一端６Ａ又は７Ａにそれぞれ接続する工程Ｓ３とを備えている。
【００８４】
本実施例の被災光ケーブルの災害復旧方法は、また、復旧対象中継点４、５が上記道路１の側方１Ａ、１Ｂに２つ配設されている場合に、道路１の一側１Ａの第一の上記光ケーブルの一端８が接続された接続箱６の他端６Ａに少なくとも一つの耐側圧の災害復旧用光ケーブル１０、１１又は１４の一端１０Ａ、１１Ａ、又は１４Ａをコネクタ接続し、この接続箱６の他端６Ｂに接続された災害復旧用光ケーブル１０又は１４を道路１の他側１Ｂに横断方向に引き回し、他側２に引き回した耐側圧の災害復旧用光ケーブル１０又は１４の他端１０Ｂ又は１４Ｂを道路１の他側１Ｂの第二の上記光ケーブル２の一端９が接続された接続箱７の他端７Ｂ又は接続箱１６の他端１６Ｂにコネクタ接続する又はこの他側１Ｂに引き回した耐側圧の災害復旧用光ケーブル１１を上記道路１の一側１Ａに横断方向に引き回し、この道路１の一側１Ａに引き回した災害復旧用光ケーブル１１の他端１１Ｂを道路１の一側１Ａの第二の上記接続箱７の他端７Ｂにコネクタ接続する工程Ｓ４´とからなる。以上の本実施例の被災光ケーブルの災害復旧方法について、以下接続箱は６と７を設置する場合について工程毎に詳述する。
【００８５】
第一の工程Ｓ１は、復旧対象中継点４、５間内の図示しない光ケーブルを取り外す工程Ｓ１である。この工程Ｓ１では、中継点４０の倒壊によって故障した復旧対象中継点４、５間内の図示しない光ケーブルの取り外しを行う。
【００８６】
第二の工程Ｓ２は、光ケーブルを取り外した復旧対象中継点４、５の近傍にそれぞれコネクタ接続可能な接続箱６、７を設置する工程Ｓ２である。この工程Ｓ２では、復旧対象中継点４、５の近傍に接続箱６、７をそれぞれ設置する。
【００８７】
この際、接続箱６、７を復旧対象中継点４、５の近傍に配置することで、取り外した復旧光ケーブル２の端部側の配線長さを短くすることができ、復旧光ケーブル２の接続箱６、７への接続が煩雑にならずに容易に行うことができる。
【００８８】
第三の工程Ｓ３は、復旧光ケーブル２の一端８、９を接続箱６、７の一端６Ａ、７Ａにそれぞれ接続する工程Ｓ３である。この工程Ｓ３は、上述した接続箱６、７の構成により、復旧光ケーブル２の一端８、９を。接続箱６、７内の中間接続用の光ファイバ芯線３４の一端に融着することにより容易に接続することができる。
【００８９】
第四の工程は、以下説明する工程Ｓ４又はＳ４´からなっている。まず、工程Ｓ４は、復旧対象中継点４、５が上記道路１の側方１Ａ、１Ｂに２つ配設されている場合に、道路１の一側１Ａの第一の上記光ケーブルの一端８が接続された接続箱６の他端６Ａに少なくとも一つの耐側圧の災害復旧用光ケーブル１０の一端１０Ａをワンタッチ接続する。次に、この接続箱６の他端６Ｂに接続された災害復旧用光ケーブル１０を道路１の他側１Ｂに横断方向に引き回す。次に、他側２に引き回した耐側圧の災害復旧用光ケーブル１０の他端１０Ｂを道路１の他側１Ｂの第二の上記光ケーブル２の一端９が接続された接続箱７の他端７Ｂにワンタッチ接続する。
【００９０】
また、工程Ｓ４´は、復旧対象中継点４、５が上記道路１の側方１Ａ、１Ｂに２つ配設されている場合に、道路１の一側１Ａの第一の上記光ケーブルの一端８が接続された接続箱６の他端６Ａに少なくとも一つの耐側圧製の災害復旧用光ケーブル１１の一端１１Ａをコネクタ接続する。次に、この接続箱６の他端６Ｂに接続された災害復旧用光ケーブル１１を道路１の他側１Ｂに横断方向に引き回す。そして、更に、この他側１Ｂに引き回した災害復旧用光ケーブル１１を上記道路１の一側１Ａに横断方向に引き回し、この道路１の一側１Ａに引き回した災害復旧用光ケーブル１１の他端１１Ｂを道路１の一側１Ａの第二の上記接続箱７の他端７Ｂにコネクタ接続する。
【００９１】
このように、工程Ｓ４、Ｓ４´では、上述の実施例で説明した接続箱を閉じた状態でコネクタ接続可能な接続箱６、７及び軽量な災害復旧用光ケーブル１０、１１を用いるため、それぞれを容易に接続でき、また災害復旧用光ケーブルを容易に道路を横断して引き回すことができるので、復旧対象中継点４、５間の道路を横断しての被災光ケーブルの復旧作業を容易に行うことができる。
【００９２】
本実施例の復旧工事方法は、また、各工程の順序は図６に示す如く、Ｓ１→Ｓ２→Ｓ３→Ｓ４の順序としても良いし、Ｓ１→Ｓ２→Ｓ３→Ｓ４´の順序としても良いし、また、Ｓ１→Ｓ２→Ｓ３→Ｓ４→Ｓ４´又はＳ１→Ｓ２→Ｓ３→Ｓ４´→Ｓ４の順序としても良い。
【００９３】
本実施例の復旧工事方法は、上述の工程からなるので、接続箱及び耐側圧製の災害復旧用光ケーブルを用いて道路を横断しての光ケーブル配線の復旧を速やかに行うことにより、被災光ケーブルの復旧作業を要する復旧対象区間が一般道路の幅を超える場合であっても速やかかつ容易に被災光ケーブルの復旧作業が行えて、しかも道路を横断して災害復旧用光ケーブルを配置することができる光ケーブルの災害復旧方法を提供することができる。
【００９４】
本実施例の復旧工事方法及び復旧光ケーブル配線構成によれば、接続箱が複数のコネクタを有してこの接続箱内に種々の芯線の光ファイバを配線することができて、災害によって被災した光ケーブルの多くの種類に対応でき、芯数毎や種類毎に光ケーブルや配線物品の備蓄を要さず多くの投資を必要としない経済的な被災光ケーブルの災害復旧方法及び災害復旧用光ケーブル配線構成を提供することができる。
【００９５】
また、本実施例では上述のように、所定幅の道路の一側又は他側に所定の間隔を置いて配設され、少なくとも一つの供給側からの光ケーブルが中継される中継点における少なくとも二つの復旧対象中継点間内の被災光ケーブルの災害復旧方法であって、前記復旧対象中継点間内の被災光ケーブルを取り外す工程と、前記被災光ケーブルを取り外した復旧対象中継点間の中継点の近傍に接続箱を閉じた状態でコネクタ接続可能な接続箱を少なくとも一つ設置する工程と、前記被災光ケーブルが取り外された供給側からの光ケーブルの一端を少なくとも一つの前記接続箱の一端の内部でそれぞれ接続する工程と、前記復旧対象中継点が前記道路の側方に二つ配設されている場合に、道路の一側の第一の前記被災光ケーブルの一端が接続された接続箱の他端に少なくとも一つの第一の耐側圧製の災害復旧用光ケーブルの一端をコネクタ接続し、該接続箱の他端に接続された第一の災害復旧用光ケーブルを道路の他側に横断方向に引き回し、該他側に引き回した第一の災害復旧用光ケーブルの他端を道路の側方に配置される中継用接続箱の防水コネクタ対の一側にコネクタ接続し、前記中継用接続箱の防水コネクタ対の他側に少なくとも一つの第二の耐側圧製の災害復旧用光ケーブルの一端をコネクタ接続し、第二の耐側圧製の災害復旧用光ケーブルの他端を道路の他側の第二の前記被災光ケーブルの一端が接続されたいずれかの接続箱の他端にコネクタ接続してもって該災害復旧用光ケーブルを道路上に配置する又は前記中継用接続箱に接続された第二の耐側圧製の災害復旧用光ケーブルを前記道路の一側に横断方向に引き回し、該道路の一側に引き回した第二の耐圧製の災害復旧用光ケーブルの他端を道路の一側の第二の前記接続箱の他端にコネクタ接続してもって該災害復旧用光ケーブルを道路上に配置する工程とからなることを特徴とする被災光ケーブルの災害復旧方法によっても上述の実施例と同様の効果を奏することができる。
【００９６】
また、本実施例では上述のように、所定幅の道路の一側又は他側に所定の間隔を置いて配設され、少なくとも一つの供給側からの光ケーブルが中継される中継点における少なくとも２つの復旧対象中継点間内の被災光ケーブルの災害復旧工事によって構成される災害復旧工事用光ケーブル構成であって、前記復旧対象中継点間内の被災光ケーブルが取り外された復旧対象中継点間の中継点の近傍にそれぞれ設置され、接続箱の一端の内部で前記復旧対象中継点間内の被災光ケーブルが取り外された前記供給側からの光ケーブルの一端が接続され、該接続箱の他端にコネクタ接続する防水コネクタが設けられる少なくとも一つの接続箱と、道路の側方に配置され、第一の災害用復旧光ケーブルの一端がコネクタ接続される防水コネクタと、第二の災害用復旧光ケーブルの一端がコネクタ接続される防水コネクタとが設けられ、前記各防水コネクタはそれぞれ対となって光学的に接続される防水コネクタ対が接続箱の一端に設けられる少なくとも一つの中継用接続箱と、前記復旧対象中継点が前記道路の側方に二つ配設されている場合に、災害復旧用光ケーブルの一端が道路の一側の第一の前記被災光ケーブルの一端が接続された接続箱の他端の防水コネクタに接続され、道路の他側に横断方向に引き回され、災害復旧用光ケーブルの他端が前記中継用接続箱の防水コネクタ対の一側に接続されてもって道路上に配置される少なくとも一つの第一の耐側圧製の災害復旧用光ケーブルと、災害復旧用光ケーブルの一端が前記中継用接続箱の防水コネクタ対の他側に接続され、前記災害復旧用光ケーブルの他端が道路の他側の第二の前記被災光ケーブルの一端が接続されたいずれかの接続箱の他端の防水コネクタにコネクタ接続されてもって道路上に配置される又は前記中継用接続箱に接続された災害復旧用光ケーブルが道路の一側に横断方向に引き回され、該災害復旧用光ケーブルの他端が道路の一側の第二の前記接続箱の他端の防水コネクタにコネクタ接続されてもって道路上に配置される少なくとも一つの第二の耐側圧製の災害復旧用光ケーブルとからなることを特徴とする災害復旧用光ケーブル配線構成によっても上述の実施例と同様の効果を奏することができる。
【００９７】
また、本実施例では、上述の接続箱の他端に接続された災害復旧用光ケーブルを道路の他側に引き回す際、この災害復旧用ケーブルの引き回す方向は道路の略直角横断方向としてもよい。
【００９８】
なお、上述の略直角方向とは、道路の進行方向に対して８０度から９０度の角度をなす方向を指す。この構成であっても上述の実施例の災害復旧用光ケーブル構成と同様の効果を達成することができる。
【００９９】
また、本実施例の災害復旧用光ケーブル配線構成について、接続箱、耐側圧災害復旧用光ケーブル等は、上述の実施例の構成に限定されるものではなく、本実施例の効果を奏することができる範囲において、別の構成を適用することもできる。
【符号の説明】
【０１００】
Ｂ…道路幅、Ｄ…中継点間隔、１…道路、１Ａ、１Ｂ…道路側方、２…供給側からの光ケーブル、３…中継点、４、５…復旧対象中継点、６、７…接続箱、６Ａ、７Ａ…接続箱の一端、６Ｂ、７Ｂ…接続箱の他端、８、９…光ケーブルの一端、１０、１１…耐側圧製の災害復旧用光ケーブル、１０Ａ、１１Ａ…耐側圧製の災害復旧用光ケーブルの一端、１０Ｂ、１１Ｂ…耐側圧製の災害復旧用光ケーブルの他端、２０…供給側（局舎）１００…災害復旧用光ケーブル配線構成。
【図１】
2012252271.tif 000003
【図２】
2012252271.tif 000004
【図３】
2012252271.tif 000005
【図４】
2012252271.tif 000006
【図５】
2012252271.tif 000007
【図６】
2012252271.tif 000008